(57)【要約】警報システムは、試着室への出入りを監視する。撮像用のカメラを含む種々の装置は、顧客が入るとき及び出るときを走査するために用いられる。画像解析、足音のオーディオシグナチャ、及び他の規準を用いて、システムは出るときの顧客の画像が入るときの顧客の記憶された画像と一致するかどうかを調べる。一致しなければ、警報信号は発生される。
2004523848.tif 000002
【特許請求の範囲】
【請求項１】
試着室を自動的に監視する装置であって、
前記装置は、監視区域に配置された環境モニタからモニタ信号を受信するようプログラムされた制御器を含み、
前記各モニタ信号は、画像データ、ビデオ信号、及びオーディオ信号のうちの少なくとも一つを含み、
前記モニタ信号のうちの第１のモニタ信号は領域に人物が入ることに応答し、前記モニタ信号のうちの第２のモニタ信号は領域から人物が出ることに応答し、
前記制御器は、前記第１のモニタ信号と前記第２のモニタ信号を比較し、前記第１のモニタ信号と前記第２のモニタ信号が所定の閾値を超えて異なるときは警報を発生するようプログラムされている、装置。
【請求項２】
前記第１のモニタ信号は前記人物が領域に入るときの第１の画像を含み、前記第２のモニタ信号は前記人物が領域から出るときの第２の画像を含み、
前記制御器は前記第１の画像の顔と前記第２の画像中の顔を区別及び比較し、前記警報はその結果に応答するようプログラムされる、請求項１記載の装置。
【請求項３】
前記第１のモニタ信号は前記人物が領域に入ることに応答する第１のオーディオ信号を含み、前記第２のモニタ信号は前記人物が領域から出ることに応答する第２のオーディオ信号を含み、
前記制御器は前記第１のオーディオ信号と前記第２のオーディオ信号を比較し、前記警報はその結果に応答するようプログラムされる、請求項１記載の装置。
【請求項４】
前記第１のモニタ信号は前記人物が領域に入るときの第１の画像を含み、前記第２のモニタ信号は前記人物が領域から出るときの第２の画像を含み、
前記制御器は前記第１の画像の部分と前記第２の画像の部分を比較し画像比較結果を生じさせるようプログラムされ、
前記制御器は、前記比較結果が前記第１の画像と第２の画像が略同じであることを示す場合よりも前記第１の画像部分と第２の画像部分が非常に異なることを示す場合に前記警報信号が発生される可能性が高いよう更にプログラムされる、請求項３記載の装置。
【請求項５】
前記第１のモニタ信号は前記人物が領域に入ることに応答する第１のオーディオ信号を含み、前記第２のモニタ信号は前記人物が領域から出ることに応答する第２のオーディオ信号を含み、
前記制御器は前記第１のオーディオ信号と前記第２のオーディオ信号を比較し画像比較結果を生じさせるようプログラムされ、
前記制御器は、前記第１のオーディオ信号と前記第２のオーディオ信号が一致するが前記モニタ信号の他の信号が一致しないときは警報を発生するようプログラムされ、前記第１のオーディオ信号と前記第２のオーディオ信号が一致せず前記モニタ信号の他の信号が一致しないときは警報を発生しないようプログラムされる、請求項４記載の装置。
【請求項６】
試着室へ出入りする顧客を監視する方法であって、
試着室に入るときの顔の画像を生成するために前記試着室に入る顧客の顔を撮像する段階と、
試着室に入るときの体の画像を生成するために前記試着室に入る顧客の体を撮像する段階と、
試着室から出るときの顔の画像を生成するために前記試着室を出る顧客の顔を撮像する段階と、
試着室から出るときの体の画像を生成するために前記試着室を出る顧客の体を撮像する段階と、
前記試着室に入るときの顔の画像と前記試着室から出るときの顔の画像及び前記試着室に入るときの体の画像と前記試着室から出るときの体の画像の比較に応答して警報を発生する段階とを含む方法。
【請求項７】
試着室へ出入りする顧客を監視する方法であって、
試着室に入るときの画像を生成するために前記試着室に入る顧客を撮像する段階と、
試着室から出るときの画像を生成するために前記試着室を出る顧客を撮像する段階と、
前記試着室に入るときの画像を記憶する段階と、
前記試着室から出るときの画像を前記試着室に入るときの画像及び他の画像と比較する段階と、
前記比較結果に応答して警報信号を発生する段階とを含む方法。
【請求項８】
試着室に入るときのオーディオ信号を生成するために前記顧客が入ることによって発生する音を記録する段階と、
試着室から出るときのオーディオ信号を生成するために前記顧客が出ることによって発生する音を記録する段階と、
前記試着室に入るときのオーディオ信号と前記試着室から出るときのオーディオ信号を比較する段階とを更に含み、
前記発生段階は、前記試着室に入るときのオーディオ信号と前記試着室から出るときのオーディオ信号の比較の結果に応答して前記警報信号を発生する段階を含む、請求項７記載の方法。
【請求項９】
前記試着室に入る人物を撮像するよう配置可能な第１のカメラと、
前記試着室から出る人物を撮像するよう配置可能な第２のカメラと、
前記第１のカメラ及び前記第２のカメラからの画像に応答して警報を発生するよう自動的にプログラムされた制御器とを含む、
試着室を監視するシステム。
【請求項１０】
前記制御器は、前記顧客の識別情報を示す前記画像の第１の部分が一致し、前記顧客が着ている衣服を示す第２の部分が一致しないとき、前記警報を発生するようプログラムされる、請求項９記載のシステム。
【請求項１１】
顧客が歩くときの音を記録するよう配置可能なオーディオトランスデューサを更に含み、前記制御器は前記オーディオトランスデューサの信号に対して応答的に前記警報を発生するようプログラムされている、請求項１０記載のシステム。
【請求項１２】
顧客が歩くときの音を記録するよう配置可能なオーディオトランスデューサを更に含み、前記制御器は前記オーディオトランスデューサの信号に対して応答的に前記警報を発生するようプログラムされている、請求項９記載のシステム。
【請求項１３】
前記制御器は、前記試着室に入るときの顧客の幾つかの画像を記録及び記憶し、前記顧客が出るときの画像を記憶されている顧客が入るときの画像と比較するようプログラムされている、請求項９記載のシステム。
【請求項１４】
試着室を監視する方法であって、
プロファイル記録を作成するために前記試着室に入る人物の画像を記録する段階と、
前記試着室から出る人物を撮像する段階と、
前記試着室から出る前記人物の画像を前記プロファイル記録と比較する段階と、
前記比較段階の結果に応答して信号を発生する段階とを含む方法。
【請求項１５】
前記比較段階は、
第１の比較を行うために前記プロファイル記録の少なくとも１つの第１の部分を前記試着室を出るときの前記人物の前記画像の対応する部分と比較する段階と、
第２の比較を行うために前記プロファイル記録の少なくとも１つの第２の部分を前記試着室を出るときの前記人物の前記画像の対応する部分と比較する段階とを更に含み、
前記比較段階の結果に応答して信号を発生する段階は、前記第１の比較の結果が一致を示すが前記第２の比較の結果が一致を示さない場合は第１の信号を発生し、そうでない場合は第２の信号を発生する段階を含む、請求項１４記載の方法。
【発明の詳細な説明】
【０００１】
本発明は、人物が衣服を着ることによって衣服小売店の試着室から衣服を盗もうとする場合に警報信号を発生する自動装置に関連する。
【０００２】
ビデオデータストリーム中に存在する対象及び他の特徴のビデオ認識の一般的な技術は、非常によく開発されており急速に変化している分野である。ビデオ信号中の物を認識するようコンピュータをプログラミングする上での一般的な問題の一つとして、ビデオ画像で捕捉された画像中の対象の認識がある。閉じた色フィールドが潜在的な対象として識別される画像処理の第１の位相への参照であるいわゆるブロブ（ＢＬＯＢ）認識は、ソフトウエアがオブジェクト及びイベントを詳細に分類するには十分に高性能でなくとも、価値のある情報を提供しうる。例えば、コンピュータが実際は何が動いているかを決定することができなくとも、視野中の変化は高い信頼性で動きを示しうる。対象に塗られたはっきりとした色は、コンピュータが対象が何であるのかを決定することなく、コンピュータシステムがこれらの色で塗られた対象を監視することを可能とする。
【０００３】
ビデオカメラが被写体又は関心領域に対して学習され、熟練した観察者によって観察される遠隔防犯監視システムが知られている。機械による顔の認識も十分に開発されている。顔の撮影又は認識のためのシステムに関する英国特許出願公開第２３４３９４５号では、制御器はシーン中の動く顔を識別し、顔又は顔のはっきりとした特徴を識別するのに十分な画像捕捉を可能とするようこれらを追跡する。例えば、システムは、宝石店の防犯システムでは目深にかぶった帽子やフェースマスクを認識すると警報を鳴らすことができる。
【０００４】
監視されている人物の身体的及び感情的な状態は、医療診断目的のためにコンピュータによって決定されうる。例えば、ここに参照として組み入れられる米国特許第５，６１７，８５５号は、顔及び声の特徴を脳波図及び診断に役立つ他の診断用データと共に分類するシステムを記載する。装置は、精神科及び神経科の分野を対象としている。しかしながら、この装置及び他の同様な装置は、人物を通常の環境で監視するような設計とはされていない。
【０００５】
衣服小売店の試着室に入り出る人々のスクリーニングは様々な方法で達成されてきた。例えば、国際公開第９９／５９１１５号パンフレットには、試着室に持って入った品物の重さを量り、出るときの品物の重さを量るシステムが記載されている。不一致であれば、システムは防犯担当者に知らせる。欧州特許出願公開第９２１５０５号では、品物に取り付けられた電子防犯タグを取り外そうとする全ての人物の写真が撮影される。タグは、品物が購入されたときに非作動状態とされる。無線周波数識別タグを用いた同様のシステムが国際公開第９８／１１５２０号パンフレットに記載されている。
【０００６】
この分野では、試着室を自動的にしかし目立たないように監視することを可能とするシステムが必要とされている。品物の重さを量る場合は、顧客ははかりに品物を置くという不便があることが必要である。防犯タグは人物が特定の領域から出たときにのみ動作し、取り外されねばならないため、小売店が顧客に不便さを与え試着室の出口付近に検出器を設けることが必要である。
【０００７】
概説するに、試着室監視システムは、試着室又は他の防犯対象領域に人物が入るとき及び出るときの画像を捕捉し、同じ人物が入るとき及び出るときの画像を比較する。画像が同じ人物のものであることを確実とするために、顔認識技術が用いられる。入る人物が着ている又は持っている衣服が同じ人物が出るときに着ているものとは異なる場合、防犯担当者に通知する警報が発生される。
【０００８】
実施例では、防犯システムは前の画像と後の画像を送信し、人間である観察者が比較を行うことを可能とする。顔認識技術の代わりに、システムは歩いている人物のビデオ信号中で利用可能な他のシグナチャ特徴を使用しうる。例えば、人物の身長、体の大きさ、歩き方、及び他の特徴が分類され、入室ビデオ信号と退室ビデオ信号についてこれらが同じ人物であるかどうかを確かめるために比較される。
【０００９】
システムは、顧客が試着室又は他の場所に入るとき及び出るときに歩かねばならない領域に設置されうる。条件は制御可能であるため、非常に一貫した画像及びビデオシーケンスが取得されうる。即ち、被写体の照明、被写体に対するカメラアングル等は非常に一貫したものとされうる。
【００１０】
システムは、顧客が入ったときに着ていたものとは異なるものを着て出たことを画像が示しているというシステムの決定のついての信頼性を示す信号を発生する。信頼性は、使用者が試着室にいるであろう予想される時間に基づく画像間の時間、歩き方、体の種類、大きさ、身長、髪の色、髪型等の相関等を含む様々な服を着ることに依存する要因に基づいて減らされうる。決定の信頼性が指定された閾値を上回る場合、システムは防犯担当者に知らせる信号を発生する。
【００１１】
異なる人々の画像の比較（及び結果として得られるフォルス・ポジティブ（ｆａｌｓｅ  ｐｏｓｉｔｉｖｅ））を防止するため、試着室には使用中であるときを示すセンサが設けられてもよい。画像又はビデオシーケンス（又はそこから生ずる分類出力）は時間でタグ付けされうる。これは、どの試着室に顧客が入るかを決定するのに適した任意の手段によって達成されうる。これは、追加的なカメラを含む。また、人物を識別し信頼性を高めるために、ビデオと共に他の種類の入力が使用されうる。例えば、顧客が歩くときの顧客の靴の音（例えば足音及び歩調の繰り返しのスペクトル特徴）がサンプリングされ分類され（又は入来及び出発する生の信号）が比較される。
【００１２】
衣服は区別することが可能なビデオ画像のブロブを生成するため、衣服の検出及び比較は比較的些細な画像処理問題を表わしうる。衣服は、常に色又はパターンの均質なフィールドによって特徴付けられうるわけではないことが理解される。例えば、光っている革やビニールの上着は分割される。従って、どの衣服であるかを検出するアルゴリズムは、ビデオ画像中の色の閉じたフィールドだけには依存しないことが望ましい。望ましくは、画像がセグメンテーションされることを可能とするために体の外形が参照の指針として用いられてもよく、着用されている衣服の種類がその色特徴に加えて識別される。
【００１３】
本発明について、より完全に理解されうるよう以下の例示的な図面を参照して望ましい実施例に関連して説明する。図面を参照して、詳細については例として本発明の望ましい実施例を例示的に説明するためにのみ示されるものであり、本発明の原理及び概念に最も有用で容易に理解される説明であると考えられるものを与えるために示すものである。これに関して、本発明の基本的な理解に必要である以上の詳細について本発明の構造的な細部については示さないものとし、図面を参照してなされる説明を読めば当業者は本発明の幾つかの形を実際にどのように実施するかが明らかとなろう。
【００１４】
図１を参照するに、試着室監視システムは、マイクロホン１１２、第１のビデオカメラ１０及び第２のビデオカメラ１５、近接センサ５０、並びに、扉閉鎖検出器スイッチ４５を含む種々の入力装置に接続されたプロセッサ５を有する。第１のビデオカメラ１０は、顧客２０が第１の開口６０と第２の開口７０の間の通路６５を通って試着室へ歩いて入るときに顧客２０のビデオシーケンス或いは画像を捕捉するよう配置され向けられる。第２のビデオカメラ１５は、顧客２０が試着室から出るために通路６５を通って歩くときに顧客２０のビデオシーケンス或いは画像を捕捉するよう配置され向けられる。マイクロホン１１２は、顧客が通路６５を通って歩くときの顧客の靴の音を取得する。
【００１５】
望ましくは、通路６５の床は、様々な種類の靴の別々の音を発生する材料からなる、例えばその下に空洞の空間がある木の床（又は他の堅い弾力のある材料）からなる。マイクロホンは、床に取り付けられ顧客２０には見えないようにされうる。即ち、振動は、主に空気を通ってマイクロホン１１２へ伝達されるのではなく、床の材料を通って直接伝達される。
【００１６】
通路６５は、対応する戸口への開口６０及び７０で囲まれても囲まれなくともよいが、顧客がそこを通って歩くことが要求される領域であると考えられる。
【００１７】
近接センサ５０は、試着ブース４０の中に配置される。近接センサは、試着ブース４０がいつ使用中であるのかを示す。多数の試着ブース４０があり、夫々に近接センサ５０が設けられると想定される。扉閉鎖検出器スイッチ４５は、いつ試着ブースのドア３５が閉じているかを示す。或いは、これは、いつ試着室のドア３５が開いているかを示しうる。
【００１８】
図２を参照するに、図１のシステムの更なる詳細は、カメラ１３５及び１３６に接続された画像センサ３０５、マイクロホン１１２、及び他のセンサ１４１を含む。カメラは、図１のカメラ１０及び１５と他のカメラを含みうる。センサ１４１は、近傍センサ５０と、試着ブース５０のドア３５が開いているか閉じているかを示すためのスイッチ４５とを含みうる。画像プロセッサ３０５は、ソフトウエアで又は別のハードウエアとして実施されるプロセッサ５の機能的な部分であり得る。制御器１００のソフトウエアを更新するため又はその環境をモデリングするためのテンプレートといった他の要求されるデータを与えるためのデータは、雲形のボックス１１０で象徴的に示されるローカルエリアネットワーク、又は、ワイドエリアネットワーク、又は、インターネット網によって収集されうる。制御器は、スピーカ１１４又は任意の他の態様の装置を通じてオーディオ信号（例えば合成音声又は遠隔スピーカからの音声）を出力しうる。使用入力をプログラミング及び要求するため、端末１１６が提供される。マルチモード統合は、ここに参照として組み入れられる２０００年１１月２２日出願の「候補レベルマルチモード統合システム（Ｃａｎｄｉｄａｔｅ  Ｌｅｖｅｌ  Ｍｕｌｔｉｍｏｄａｌ  Ｉｎｔｅｇｒａｔｉｏｎ  Ｓｙｓｔｅｍ）」なる名称の米国特許出願第０９／７１８，２５５号に一般的に記載されている。
【００１９】
図３は、出ていく顧客が入ったときに来ていたものとは異なる衣服を着ている場合を識別し警報を発生するために、制御器によって収集された情報がどのようにして使用されうるかを示す。ビデオデータ、オーディオデータ等の様々な態様の入力５００は、顧客に関するビデオ、画像、オーディオ、及び他のデータを捕捉する捕捉／セグメンテーション処理５１０へ印加される。データは、出ていく各顧客がその顧客が入ったときに来ていたのと同じ衣服を着ているかどうかを決定するために比較エンジン５２０によって用いられる。
【００２０】
データは、捕捉され、比較機構の正確な要件に従って画像、オーディオクリップ、ビデオシーケンス等へセグメンテーションされ、その実施例については以下説明する。入室する各顧客のデータは、顧客が試着室に入るとき、プロセッサ５内のキャッシュ５３０（ディスク、ＲＡＭ、フラッシュ、又は他のメモリ装置）中にレコードとして格納される。顧客が試着室を出るとき、プロファイラ５１０は同じデータ集合を発生し、これらを比較エンジン５２０へ印加する。比較エンジンは、現在適用されているプロファイルとキャッシュ５３０に格納されたプロファイルの間の最も良く一致するものを選択しようとする。一致するものが見つからなければ、比較エンジン５２０は警告を発する。
【００２１】
個々の顧客のためにプロファイルを作成するために、プロファイラ５１０は個々の顧客をモデリングするために使用しうるその入力データストリーム中のはっきりとした特徴を識別する。これを達成するには無数に異なる方法がある。一つの例について以下説明する。
【００２２】
ビデオ信号は、顧客のディジタル画像を得るために使用されうる（或いはカメラ１３５／１３６は静止画像カメラであってもよい）。公知の画像処理技術を用いて、顧客の体が位置する各画像中の領域は不変の背景とは分離されうる。入る顧客の画像と出る顧客の画像の比較の問題は、歩くこと（例えば各画像中で腕の位置及び脚の位置は異なりうる）及び向き（顧客は夫々のカメラ１３５／１３６へ近づく角度を変化させうる）から生ずる歪み以外は同一である２つの画像を比較することである。
【００２３】
本実施例では、顧客データを比較する問題は、入る顧客の画像と出る顧客の画像の比較まで減らされる。実施例は、人物が腕及び脚の位置と幾らかは向きを変化させた後の同じ人物の画像を比較する問題と似た良く開発された似た技術を用いる。ビデオ圧縮では、動きベクトル場は、連続するビデオフレーム間の差をかなり良く示す場合が多い。この処理では、第１の画像は部分へと細分化される。次に、各部分に対して第２の画像中でその部分に最も良く一致するものを識別するための、即ちその部分が第２の画像中でどこに動いたかについての、サーチが行われる。様々な大きさ及び形状の部分は画像中で定義されうる。処理は、一つの写真を切断し、写真中の対象が動かされたときの後の時点で撮影された第２の写真を最も良く近似するよう断片を動かすことに似ている。これがビデオ圧縮中になされた場合、次の画像の完全に新しい記述ではなく、以前の画像の部分がどのように動かされるかを示すデータ（動きベクトル場又はＭＶＦと称される）が伝達される。ＭＶＦが完全な記述を与えることは滅多になく、ＭＶＦから導出される第２の画像と正しい画像との間の差を定義するデータもまた伝達される。後者のデータは残差データと称される。入る顧客の画像を出る顧客の画像へ変換するために（両方の画像から背景をフィルタ除去する）動き分析がうまく動作する場合、残差は比較的少ないはずである。即ち、残差中のエネルギーは、同じ衣服を着ている同じ顧客では低く、異なる顧客又は異なる衣服を着ている同じ顧客の場合は高いはずである。
【００２４】
図４及び図５を参照するに、現在出ていこうとする顧客がその顧客が入ったときに着ていた衣服と異なる衣服を着ているかどうかの決定は、すなわちキャッシュ５３０中に格納されたプロファイル中に適切な一致が見つかるかどうかである。プロファイルデータを捕捉し格納する処理は、簡単に、入室する顧客の検出から始まり（Ｓ１０）、続いて入力ストリーム中のデータの捕捉及びセグメンテーションが行われる（Ｓ１５）。捕捉されたデータはキャッシュに記憶され（Ｓ２０）、処理は繰り返される。試着室を出る各顧客が検出され（Ｓ２５）、対応する画像、ビデオ等のデータが捕捉される（Ｓ３０）。比較エンジン５２０は、キャッシュ５３０に記憶されたプロファイルのうち顧客の識別情報を示す成分のうち最も良く一致するものを見つけようとする（Ｓ３５）。顧客が着ている衣服を示す成分は比較され、一致の度合いが何らかの基準と比較される（Ｓ４０）。衣服があまり良く一致せず基準を上回る場合、一致するプロファイルは削除される（Ｓ５０）。衣服が一致しない場合、警報が発生される（Ｓ４５）。この場合、防犯担当者によって手動で正しい一致するプロファイルが識別され削除されてもよい（Ｓ５５）。
【００２５】
提案されるＭＶＦテストは、顧客の画像の比率及び寸法の分析によって拡張されば改善されうる。例えば、恰幅のいい太った人物が与えられた一組の衣服を着ている画像は、ＭＶＦによって、同じ一組の衣服を着ている背の高い痩せた人物の画像へ正確に変換されうる。このように、顧客の画像の比率及び絶対的な寸法の推定値は、精度を改善するためにプロファイルに加えられうる。
【００２６】
比較については、顧客が入ったときと出るときで異なった品物を持っていることを許容する可能性が与えられうる。例えば、持って入る衣服は出るときには折り畳まれてたり広げられていたり、試着室に置いたままにされることがある。プロファイル作成及び比較処理のロバストさを更に改善するために、システムは入るときの画像と出るときの画像で異なるようにして品物を持っていることによって生じうる変化を無視しうる。基準点は、体の外形の画像、色の遷移（例えば顔から衣服へ）等によって導出されうる。例えば通常はシャツで占められる領域や通常はスカート、ドレス、又はズボンで占められる領域といった顧客の画像の特定の領域が識別されうる。また、顧客が持っている品物によって隠されうる領域が区別されうる。この領域は、使用者が入るときの画像及び出るときの画像で着ている衣服が同じであるか異なる物であるかを決定するために無視されうる。或いは、これらの領域の変化から生ずる入るときの画像と出るときの画像の差には、より緩やかな同一性要件が与えられうる。即ち、システムは、顧客の画像のうち顧客が持っている品物が現れる可能性の高い部分に対応する残差中の高いエネルギーを許容する。
【００２７】
この問題を取り扱うための更なる他の用法は、品物が同じ色／パターン特徴を有すると想定して画像中の明確なブロブを画成することにより顧客が持っている品物によって占められる領域を決定しようとすることである。他のアプローチは、空港のターミナルのセキュリティチェック地点で行われているように、顧客に何も持たずに通路６５を歩いて通ってもらうことである。
【００２８】
入る顧客及び出る顧客のプロファイルは、多数の成分へ分割されえ、各成分は警告の発生を防止するために一致することが要求されうる。例えば、顧客の全体の大きさ（画像領域）はプロファイルの他の面がよく一致するときでも変化すべきではない。従って、プロファイルの各成文については別々の制限がありうる。以下、プロファイルレコードの成分の提案を示す。夫々は、着用されている衣服が異なることを強く示す成分である場合はインジケータ、顧客が衣服を変えたかどうかに関わらず略不変であると予想される成分である場合はアイデンティファイア、顧客が異なった方法で品物を持っているかどうかによっては変化するかもしれないし変化しないかもしれない成分である場合はファジーとして特徴付けられる。
【００２９】
【表１】
2004523848.tif 000003
アイデンティファイア成分が一致する場合、インジケータ成分とファジー成分が一致する要件は厳しくされうる。インジケータ成分は、一致することが要求されうる。全てのファジー成分が一致しない場合は、顧客の衣服が変えられていないことを示しうるが、あまり要件を厳しくすると顧客が入るときと出るときで異なる方法で品物を持っているときは誤った警報が発生することがあるため、あまり要件を厳しくすることはできない。一致するデータの一致の度合いを低下させるために、以下の式、
【００３０】
【数１】
2004523848.tif 000004
、但し、ＣＭは２つの画像中の衣服がどれだけ良く一致するかを示すインジケータであり、ＩＭはどれだけよくアイデンティティが一致するか（現在の人物画像がプロファイル画像と同じ人物である可能性はどれくらいであるか）を示すインジケータであり、Ｆはファジー成分であり、Ｎはインジケータ成分であり、Ｄはアイデンティティ成分である、が使用されうる。以下の表は、ステップＳ３５及びＳ４０において制御器がどのように各イベントに応答するかを示す。
【００３１】
【表２】
2004523848.tif 000005
プロファイルには、存続する自動的な時間が与えられてもよく（指定された時間の後に自動的に消去される）又はコマンドに応じて消去されてもよい（セキュリティ用の探知機等）。上記のデータの組は、どれだけ良く一致することが要求されるかに対応する夫々の制限を有しうる。本願は、所定の一組の設計規準を実施するための最善の技術のために顔認識、オーディオ解析等の分野が利用されうることを考えている。足音の比較は、単純に速く歩く人とゆっくり歩く人を区別する足の運びの間の間隔を比較することであってもよい。或いは、踵の音の繰り返しプロファイルを考えてもよい。全体面積を決定する際に持ち運ばれている品物は画像解析によって顧客の画像に追加されることを考慮に入れるために、体の面積は、より緩い一致規準に対応するようにされてもよい。顔認識は良く開発された分野である。カメラには、顔の高画質の画像を与えるために、顔をズームし、顧客を追跡する可能性が与えられうる。比較の質が高いときは、おそらくは顔は持っている品物によっては影響を受けないため、顔の識別のための規準は非常に強くされてもよい。
【００３２】
上述の実施例では、画像の動き分解を用いた画像解析について説明したが、本発明を実施するために他の方法が使用されうることが明らかである。例えば、スカートやドレスの動きといったものを考慮に入れるため、画像は平行移動関数に加えて発散関数を用いて変形されうる。比較は、単純にブロブの色／パターンの比較に基づくものであってもよい。ここで、人物の画像は識別可能な部分と比較される対応する部分の色及びパターンに分けられうる。かかる部分は、頭、肩、及び足の主要な形であり標準的な体型のテンプレートによって知らされる画像中の位置合わせ点を用いて決められうる。
【００３３】
ステップＳ３５において比較を行うとき、状態近接センサ５０又はドアが閉じていることを検出する検出器４５に基づいて幾つかのプロファイルは比較処理からフィルタ除去されうる。ある時にプロファイルが生成され、その直ぐ後に所与の試着ブース４０が使用中であるとき、その特定の試着ブース４０が空きとなったことを示すまでこれは比較されない。或いは、特定のプロファイルに対してステップＳ４０で適用された一致要件は、特定の試着ブース４０が使用中である間は厳しくされうる。
【００３４】
本発明について、上述の望ましい実施例に関して説明したが、当業者によって明らかであるように、本発明の主題及び範囲を逸脱することなく、上述の実施例に対して種々の変更がされえ、様々な等価なもので置き換えることができることが理解されるべきである。
【図面の簡単な説明】
【００３５】
【図１】本発明の実施例による監視システムのための装置の配置を示す図である。
【図２】本発明の実施例による防犯システムをサポートすることが可能なハードウエアシステムを概略的に示す図である。
【図３】顧客がその領域に入ったときに着ていた衣服とは異なる衣服を着てその領域から出た場合を識別するために様々な態様の入力がどのようにフィルタされうるかを示す高いレベルのブロック図である。
【図４】本発明の実施例により警報信号を発生するために試着室に入る顧客の情報を格納する処理を示すフローチャートである。
【図５】本発明の実施例により試着室を出る顧客に応答して警報条件を決定する処理を示すフローチャートである。
【図２】
2004523848.tif 000006
【図３】
2004523848.tif 000007
【図４】
2004523848.tif 000008
【図５】
2004523848.tif 000009
【国際公開パンフレット】
2004523848.tif 000010
2004523848.tif 000011
2004523848.tif 000012
2004523848.tif 000013
2004523848.tif 000014
2004523848.tif 000015
2004523848.tif 000016
2004523848.tif 000017
2004523848.tif 000018
2004523848.tif 000019
2004523848.tif 000020
2004523848.tif 000021
2004523848.tif 000022
2004523848.tif 000023
2004523848.tif 000024
2004523848.tif 000025
2004523848.tif 000026
2004523848.tif 000027
【国際公開パンフレット（コレクトバージョン）】
2004523848.tif 000028
2004523848.tif 000029
【国際調査報告】
2004523848.tif 000030
2004523848.tif 000031
2004523848.tif 000032